(57)【特許請求の範囲】
【請求項１】
ハウジング前面に看護師を呼び出すための呼出ボタンを備えて壁面に設置される呼出ボタン装置であって、
呼出動作を停止する停止スイッチ素子を具備する一方、前記停止スイッチ素子を操作するための停止ボタンを前記ハウジングに着脱可能に設けると共に、前記停止ボタンを収容する収容部を前記ハウジング内に具備し、
前記停止ボタンを前記停止スイッチ素子を操作する部位から取り外して前記収容部に収容することで、前記停止ボタン無しを選択可能としたことを特徴とする呼出ボタン装置。
【請求項２】
前記停止スイッチ素子は、全体が前記ハウジング内に収納されてなることを特徴とする請求項１記載の呼出ボタン装置。
【請求項３】
前記ハウジングは、壁面に取り付けられて前面が開放されたハウジング本体と、前記ハウジング本体の前面を閉塞するカバー体とから成り、
前記呼出ボタンは前記カバー体の略中央に配置されると共に、前記停止スイッチ素子を操作する前記停止ボタンは、前記ハウジング本体と前記カバー体の間の前記ハウジングの側面に形成されたスリット状のボタン挿通孔から露出するよう配置されて成ることを特徴とする請求項１又は２記載の呼出ボタン装置。
【発明の詳細な説明】
【技術分野】
【０００１】
本発明は、トイレ等に設置されて患者が看護師を呼び出すために使用される呼出ボタン装置に関する。
【背景技術】
【０００２】
病院のトイレや浴室等には、患者が介助を求めたり異常発生の通知に使用する呼出ボタン装置が設置されている。
この呼出ボタン装置は、病室の個々のベッドに対して設置された呼出ボタンと同様に一度操作した呼出信号は停止操作するまで継続して送出されるため、呼び出しを停止させるための停止ボタンとしての復旧ボタンが別途設けられている。一方で、呼出ボタン装置は呼び出しはできるが通話機能を持たないため、病室に設置された呼出ボタンに比べて簡易な構造となっている（例えば、非特許文献１参照）。
【先行技術文献】
【非特許文献】
【０００３】
【非特許文献１】アイホン株式会社発行 「２０１２−２０１４総合カタログ」ｐ．３４０
【発明の概要】
【発明が解決しようとする課題】
【０００４】
病室に設置されている呼出ボタンは、呼出操作するボタンから離れた壁面等に復旧ボタンが配置されており、呼出ボタンとは別体となっているのに対して、トイレ等に設置される呼出ボタン装置は、呼出操作するボタンと同一のハウジングに配置されている。そのため、患者が容易に操作することがないよう目立たない部位に且つ操作し難いよう設けられている。
しかしながら、患者が誤って復旧ボタンを操作してしまう場合があったし、患者によっては復旧ボタンの位置を認識しており、呼出操作した後患者自身が復旧ボタンを故意に操作して呼び出しを停止してしまう場合があった。
【０００５】
こうなると、呼出発生を認識した看護師は、誤呼出であったのか他の看護師が駆けつけて対応したのか分からないままとなってしまうため、呼出ボタン装置から復旧ボタンを取り外して呼出音を停止する復旧操作はナースコール親機側でのみ可能とするようにした使用形態が発生した。
ところが、復旧ボタンを取り外した呼出ボタン装置を状況の変化等から復旧操作が可能な元の状態に戻す必要が生じた場合、取り外した復旧ボタンは保管されているのは希であり、新たな呼出ボタン装置と交換して対応していた。
【０００６】
そこで、本発明はこのような問題点に鑑み、停止ボタンの有無を選択でき、取り外した停止ボタンを容易に復活させることができる呼出ボタン装置を提供することを目的としている。
【課題を解決するための手段】
【０００７】
上記課題を解決する為に、請求項１の発明は、ハウジング前面に看護師を呼び出すための呼出ボタンを備えて壁面に設置される呼出ボタン装置であって、呼出動作を停止する停止スイッチ素子を具備する一方、停止スイッチ素子を操作するための停止ボタンをハウジングに着脱可能に設けると共に、停止ボタンを収容する収容部をハウジング内に具備し、停止ボタンを停止スイッチ素子を操作する部位から取り外して収容部に収容することで、停止ボタン無しを選択可能としたことを特徴とする。
この構成によれば、停止スイッチ素子の使用を不可とするために停止ボタンを取り外しても、取り外した停止ボタンはハウジング内に収容できるため、停止スイッチ素子の使用を復活させる場合、収容した停止ボタンを取り出して使用すれば良く、スムーズに復活させることができる。
【０００８】
請求項２の発明は、請求項１に記載の構成において、停止スイッチ素子は、全体がハウジング内に収納されてなることを特徴とする。
この構成によれば、停止スイッチ素子は全体がハウジング内に収納されるため、ハウジングの外部から直接操作するのは不可能となる。そのため、停止ボタンを取り外すだけで停止スイッチ素子を残しておいて良く、停止ボタンの機能を復活させる際は、停止ボタンのみ所定部位に装着すれば良い。
【０００９】
請求項３の発明は、請求項１又は２に記載の構成において、ハウジングは、壁面に取り付けられて前面が開放されたハウジング本体と、ハウジング本体の前面を閉塞するカバー体とから成り、呼出ボタンはカバー体の略中央に配置されると共に、停止スイッチ素子を操作する停止ボタンは、ハウジング本体とカバー体の間のハウジング側面に形成されたスリット状のボタン挿通孔から露出するよう配置されて成ることを特徴とする。
この構成によれば、停止ボタンはハウジング側面に配置されるため操作し難いし、停止ボタンを露出させるハウジングの開口部はスリット形状で小さくでき、停止ボタンを取り外した状態での内部の停止スイッチ素子の操作を難しくできる。
【発明の効果】
【００１０】
本発明によれば、停止スイッチ素子の使用を不可とするために停止ボタンを取り外しても、取り外した停止ボタンはハウジング内に収容できるため、停止スイッチ素子の使用を可能とする場合、収容した停止ボタンを取り出して使用すれば良く、スムーズに復活させることができる。
【図面の簡単な説明】
【００１１】
【図１】本発明に係る呼出ボタン装置の一例を示す斜視図である。
【図２】ハウジングのカバー体を外したハウジング本体の正面図である。
【図３】復旧ボタンを示し、（ａ）は斜視図、（ｂ）は側面図である。
【図４】復旧ボタンの取り外し説明図であり、ハウジング本体の斜視図を示している。
【図５】取り外した復旧ボタンを収容した状態を示すハウジング本体の斜視図である。
【発明を実施するための形態】
【００１２】
以下、本発明を具体化した実施の形態を、図面を参照して詳細に説明する。図１は本発明に係る呼出ボタン装置の一例を示す斜視図であり、１は呼出ボタン、２は停止ボタンとしての復旧ボタンであり、両ボタンは同一のハウジング３に設けられ、呼出ボタン１はハウジング３の前面略中央に配置され、復旧ボタン２はハウジング３の下面に配置されている。
【００１３】
この呼出ボタン装置は壁面に設置して使用され、壁面内に配設された図示しない伝送線を介して図示しないナースコール親機に接続され、呼出ボタン１が押下されると呼出信号が伝送線を介してナースコール親機に伝送される。そして、呼出信号送信状態で復旧ボタン２が操作されると、呼出信号が停止する。
尚、復旧ボタン２は、呼出信号の送出を停止して待受状態に復帰させるボタンであり、待受状態に復帰した状態で呼出ボタン１が押下されれば再度呼び出しが実施される。
【００１４】
ハウジング３は、背部を構成して壁面に固定されるハウジング本体３ａと、前面を構成してハウジング本体３ａの開放された前面を閉塞するカバー体３ｂとで構成され、図２はカバー体３ｂを外したハウジング本体３ａの正面図を示している。図２において、４は呼出ボタン１の押下操作でオン動作する呼出ボタン本体、５は復旧ボタン２の押し込み操作でオン動作する復旧スイッチ素子、６は取り外した復旧ボタン２を収容する収容部である。呼出ボタン１はカバー体３ｂに一体に形成され、呼出ボタン本体４を保護するよう形成されている。
【００１５】
図３は復旧ボタン２を示し、（ａ）は斜視図、（ｂ）は右側面図である。復旧ボタン２は、図３に示すように、ハウジング３から露出する舌状の操作部２１と、ハウジング３内に配置される基部２２とを有している。基部２２は操作部２１より拡幅されて形成され、ハウジング３のボタン挿通孔１１周辺に係合する段部２２ａを有すると共に、基部２２の前面には、復旧スイッチ素子５に係合する係合部２２ｂが設けられ、復旧スイッチ素子５に係合する所定部位に配置されるとカバー体３ｂを外しても安定した状態を維持する。
【００１６】
具体的に、復旧スイッチ素子５の先端には図２に示すように係合部２２ｂと係合する舌状の係合片５ａが設けられ、復旧スイッチ素子５に係合する所定部位に配置された復旧ボタン２は、段部２２ａによりボタン挿通孔１１からの抜けが防止され、復旧スイッチ素子５の係合片５ａにより前方への移動が阻止されて、安定した状態を維持する。
一方、ハウジング３に形成されたボタン挿通孔１１は、図１に示すようにハウジング本体３ａとカバー体３ｂとの間にスリット状に形成されている。
【００１７】
上記の如く構成された呼出ボタン装置において、復旧ボタン２の着脱操作は以下のように実施される。最初に、復旧スイッチ素子５を操作する所定部位に組み付けられた復旧ボタン２の取り外しを説明する。図４はハウジング本体３ａの斜視図であり、この図４を参照して説明する。
【００１８】
まず復旧ボタン２を取り外すにあたり、カバー体３ｂを外してハウジング３の内部を露出させる。次に、復旧スイッチ素子５を上方に移動させて、即ちオン動作位置に移動操作して、基部２２と復旧スイッチ素子５との係合を解除する。図４はこの状態、即ち復旧スイッチ素子５をオン操作した状態を示している。この結果、復旧ボタン２の前方への取り出しが可能となる。
【００１９】
こうして取り外した復旧ボタン２は収容部６へ収容される。図５は、取り外した復旧ボタン２を収容部６へ収容した状態を示している。図５に示すように、収容部６には復旧ボタン２の操作部２１を挿入する保持枠１２が設けられ、上方から操作部２１を保持枠１２へ挿入して保持される。
また図５に示すように、復旧スイッチ素子５は全体がハウジング３内に完全に収納されているため、復旧ボタン２を復旧スイッチ素子５に係合する所定部位から取り外した状態では、ハウジング３の外部から復旧スイッチ素子５の操作は不可能となる。
【００２０】
こうして取り外した復旧ボタン２の復活操作は、上述した取り外しとは逆の操作をすれば良く、収容部６から抜き取った復旧ボタン２を復旧スイッチ素子５を上方へ移動した状態で所定部位に配置し、復旧スイッチ素子５の上方への移動を解除すれば、復旧ボタン２と復旧スイッチ素子５とが係合して、復旧ボタン２の押し込み操作で復旧スイッチ素子５のオン操作が可能となる。
【００２１】
このように、復旧スイッチ素子５の使用を不可とするために復旧ボタン２を取り外しても、取り外した復旧ボタン２はハウジング３内に収容できるため、復旧スイッチ素子５の使用を復活させる場合、収容した復旧ボタン２を取り出して使用すれば良く、スムーズに復活させることができる。
また、復旧スイッチ素子５は全体がハウジング３内に収納されるため、ハウジング３の外部から直接操作するのは不可能となる。そのため、復旧ボタン２を取り外すだけで復旧スイッチ素子５を残しておいて良く、復旧ボタン２の機能を復活させる際は、復旧ボタン２のみ所定部位に装着すれば良い。
更に、復旧ボタン２はハウジング３の側面に配置されるため操作し難いし、復旧ボタン２を露出させるハウジング３のボタン挿通孔１１はスリット形状で小さくでき、復旧ボタン２を取り外した状態での内部の復旧スイッチ素子５の操作を難しくできる。
【００２２】
尚、上記実施形態は、復旧ボタン２をハウジング３の下面に配置したが、側面に配置しても上面に配置しても良い。また、収容部６をハウジング本体３ａに設けているが、カバー体３ｂの裏面に設けても良い。
【符号の説明】
【００２３】
１・・呼出ボタン、２・・復旧ボタン（停止ボタン）、３・・ハウジング、３ａ・・ハウジング本体、３ｂ・・カバー体、５・・復旧スイッチ素子（停止スイッチ素子）、６・・収容部、１１・・ボタン挿通孔（開口部）、２１・・操作部。
【図１】
0006262614.tif 000002
【図２】
0006262614.tif 000003
【図３】
0006262614.tif 000004
【図４】
0006262614.tif 000005
【図５】
0006262614.tif 000006